(57)【要約】【課題】利用者が課金対象となる装置を連続して利用する場合に、利用者の利用量に応じた課金を実現する。【解決手段】複合機は、利用者の指示を受け付ける操作受付装置と、受け付けた指示に基づいて記録材に画像を形成する画像形成装置と、画像形成が行われた記録材の枚数を計数する合計出力計数部１５２と、合計出力計数部１５２が計数した合計出力数に応じて、利用者に課す課金額の算出方法を変更する課金演算部１５５と、操作受付装置が指示の受け付けを開始したことを契機として、予め定められた設定時間の計時を行う計時部１５１とを有する。合計出力数は、設定時間を経過した後には更新されないようにし、計時部１５１は、設定時間を経過する前に操作受付装置にて他の指示を受け付けた場合に、設定時間を更新する。【選択図】図４
2015133670.tif 000002
【特許請求の範囲】
【請求項１】
利用者による指示を受け付ける受付手段と、
前記受付手段が受け付けた前記指示に対応した処理を実行する実行手段と、
前記実行手段が実行した前記処理の回数を計数する計数手段と、
前記計数手段が計数した前記処理の回数の合計値に応じて、利用者に課す課金額の算出方法を変更する変更手段と、
前記受付手段が前記指示の受け付けを開始したことを契機として、予め定められた設定時間の計時を行う計時手段と
を含み、
前記計時手段は、前記設定時間を経過する前に前記受付手段にて他の指示を受け付けた場合に、当該設定時間を更新すること
を特徴とする課金装置。
【請求項２】
前記計時手段は、前記受付手段にて前記指示を受け付けている間、計時を停止することを特徴とする請求項１記載の課金装置。
【請求項３】
前記変更手段は、前記合計値が予め決められた閾値以下となった場合に、当該合計値に第１の単価を乗じて課金を行う第１の算出方法に変更を行い、当該合計値が当該閾値超となった場合に、当該合計値のうち当該閾値以下となる分については当該第１の単価を乗じて課金を行うとともに、当該合計値のうち当該閾値超となる分については当該第１の単価よりも安価な第２の単価を乗じて課金を行う第２の算出方法に変更を行うことを特徴とする請求項１または２記載の課金装置。
【請求項４】
利用者による指示を受け付ける受付手段と、
前記受付手段が受け付けた前記指示に基づいて記録材に画像を形成する画像形成手段と、
前記画像形成手段により画像形成が行われた前記記録材の枚数を計数する計数手段と、
前記計数手段が計数した前記記録材の枚数の合計値に応じて、利用者に課す課金額の算出方法を変更する変更手段と、
前記受付手段が前記指示の受け付けを開始したことを契機として、予め定められた設定時間の計時を行う計時手段と
を含み、
前記計時手段は、前記設定時間を経過する前に前記受付手段にて他の指示を受け付けた場合に、当該設定時間を更新すること
を特徴とする画像形成装置。
【請求項５】
前記計時手段は、前記画像形成手段が前記記録材に画像を形成している間、計時を停止することを特徴とする請求項４記載の画像形成装置。
【請求項６】
前記計時手段は、前記受付手段にて前記指示を受け付けている間、計時を停止することを特徴とする請求項４または５記載の画像形成装置。
【請求項７】
前記課金額に応じた領収書を印刷する印刷手段をさらに備え、
前記計時手段は、前記印刷手段にて前記領収書を印刷している間、計時を停止することを特徴とする請求項４乃至６のいずれか１項記載の画像形成装置。
【請求項８】
前記変更手段は、前記合計値が予め決められた閾値以下となった場合に、当該合計値に第１の単価を乗じて課金を行う第１の算出方法に変更を行い、当該合計値が当該閾値超となった場合に、当該合計値のうち当該閾値以下となる分については当該第１の単価を乗じて課金を行うとともに、当該合計値のうち当該閾値超となる分については当該第１の単価よりも安価な第２の単価を乗じて課金を行う第２の算出方法に変更を行うことを特徴とする請求項４乃至７のいずれか１項記載の画像形成装置。
【発明の詳細な説明】
【技術分野】
【０００１】
本発明は、課金装置、画像形成装置に関する。
【背景技術】
【０００２】
公報記載の従来技術として、記録媒体上に画像を形成して出力する画像出力部を備えた画像形成装置において、画像出力部による画像形成回数を計数し、得られた計数結果が所定回数未満となった場合には、計数結果に一定の単価を乗じて課金する通常課金方法を用いて課金を行い、得られた計数結果が所定回数以上となった場合には、計数結果のうち所定回数未満となる分については一定の単価を乗じて課金を行うとともに、計数結果のうち所定回数以上となる分については例えば一定の単価よりも安価な別の単価を乗じて課金するモーダル課金方法を用いたものが存在する（特許文献１参照）。
【０００３】
また、他の公報記載の従来技術として、課金の対象となる課金期間にわたってプリント枚数の計数を行い、課金期間において得られた計数結果が所定回数未満となった場合には通常課金方法にて課金を行い、課金期間において得られた計数結果が所定回数以上となった場合にはモーダル課金方法にて課金を行うものが存在する（特許文献２参照）。
【０００４】
さらに、別の公報記載の従来技術として、コピー、プリンタ、ファクシミリなどの複数のアプリケーション機能を備えた複合機において、この複合機を使用する複数の利用者それぞれにＩＤコードを設定するとともに、各ＩＤコードに各アプリケーション機能の使用状況を対応付けて記憶しておくことにより、利用者別にアプリケーション機能毎の使用料金を提示可能とするものが存在する（特許文献３参照）。
【先行技術文献】
【特許文献】
【０００５】
【特許文献１】特開２００１−３４１３８８号公報
【特許文献２】特開２０１０−１４２９８４号公報
【特許文献３】特開平１０−２２４５９３号公報
【発明の概要】
【発明が解決しようとする課題】
【０００６】
本発明は、利用者が課金対象となる装置を連続して利用する場合に、利用者の利用量に応じた課金を実現することを目的とする。
【課題を解決するための手段】
【０００７】
請求項１記載の発明は、利用者による指示を受け付ける受付手段と、前記受付手段が受け付けた前記指示に対応した処理を実行する実行手段と、前記実行手段が実行した前記処理の回数を計数する計数手段と、前記計数手段が計数した前記処理の回数の合計値に応じて、利用者に課す課金額の算出方法を変更する変更手段と、前記受付手段が前記指示の受け付けを開始したことを契機として、予め定められた設定時間の計時を行う計時手段とを含み、前記計時手段は、前記設定時間を経過する前に前記受付手段にて他の指示を受け付けた場合に、当該設定時間を更新することを特徴とする課金装置である。
請求項２記載の発明は、前記計時手段は、前記受付手段にて前記指示を受け付けている間、計時を停止することを特徴とする請求項１記載の課金装置である。
請求項３記載の発明は、前記変更手段は、前記合計値が予め決められた閾値以下となった場合に、当該合計値に第１の単価を乗じて課金を行う第１の算出方法に変更を行い、当該合計値が当該閾値超となった場合に、当該合計値のうち当該閾値以下となる分については当該第１の単価を乗じて課金を行うとともに、当該合計値のうち当該閾値超となる分については当該第１の単価よりも安価な第２の単価を乗じて課金を行う第２の算出方法に変更を行うことを特徴とする請求項１または２記載の課金装置である。
請求項４記載の発明は、利用者による指示を受け付ける受付手段と、前記受付手段が受け付けた前記指示に基づいて記録材に画像を形成する画像形成手段と、前記画像形成手段により画像形成が行われた前記記録材の枚数を計数する計数手段と、前記計数手段が計数した前記記録材の枚数の合計値に応じて、利用者に課す課金額の算出方法を変更する変更手段と、前記受付手段が前記指示の受け付けを開始したことを契機として、予め定められた設定時間の計時を行う計時手段とを含み、前記計時手段は、前記設定時間を経過する前に前記受付手段にて他の指示を受け付けた場合に、当該設定時間を更新することを特徴とする画像形成装置である。
請求項５記載の発明は、前記計時手段は、前記画像形成手段が前記記録材に画像を形成している間、計時を停止することを特徴とする請求項４記載の画像形成装置である。
請求項６記載の発明は、前記計時手段は、前記受付手段にて前記指示を受け付けている間、計時を停止することを特徴とする請求項４または５記載の画像形成装置である。
請求項７記載の発明は、前記課金額に応じた領収書を印刷する印刷手段をさらに備え、
前記計時手段は、前記印刷手段にて前記領収書を印刷している間、計時を停止することを特徴とする請求項４乃至６のいずれか１項記載の画像形成装置である。
請求項８記載の発明は、前記変更手段は、前記合計値が予め決められた閾値以下となった場合に、当該合計値に第１の単価を乗じて課金を行う第１の算出方法に変更を行い、当該合計値が当該閾値超となった場合に、当該合計値のうち当該閾値以下となる分については当該第１の単価を乗じて課金を行うとともに、当該合計値のうち当該閾値超となる分については当該第１の単価よりも安価な第２の単価を乗じて課金を行う第２の算出方法に変更を行うことを特徴とする請求項４乃至７のいずれか１項記載の画像形成装置である。
【発明の効果】
【０００８】
請求項１記載の発明によれば、本構成を有していない場合と比較して、利用者が課金対象となる装置を連続して利用する場合に、利用者の利用量に応じた課金を実現することができる。
請求項２記載の発明によれば、本構成を有していない場合と比較して、利用者が他の利用者と誤認されることを抑制することができる。
請求項３記載の発明によれば、本構成を有していない場合と比較して、利用者の利用量が多い場合において課金額を低減することができる。
請求項４記載の発明によれば、本構成を有していない場合と比較して、利用者が課金対象となる装置を連続して利用する場合に、利用者の利用量に応じた課金を実現することができる。
請求項５記載の発明によれば、本構成を有していない場合と比較して、利用者が他の利用者と誤認されることを抑制することができる。
請求項６記載の発明によれば、本構成を有していない場合と比較して、利用者が他の利用者と誤認されることを抑制することができる。
請求項７記載の発明によれば、本構成を有していない場合と比較して、利用者が他の利用者と誤認されることを抑制することができる。
請求項８記載の発明によれば、本構成を有していない場合と比較して、利用者の利用量が多い場合において課金額を低減することができる。
【図面の簡単な説明】
【０００９】
【図１】実施の形態が適用される複合機の全体構成例を示した図である。
【図２】複合機に設けられた制御装置のハードウェア構成を示した図である。
【図３】複合機に設けられた制御装置のソフトウェア構成を示した図である。
【図４】課金制御部のソフトウェア構成を示した図である。
【図５】操作受付装置の表示パネルに表示されるメインメニュー画面の構成例を示した図である。
【図６】（Ａ）〜（Ｄ）は、複合機の第１使用例を説明するためのタイムチャートである。
【図７】（Ａ）〜（Ｄ）は、複合機の第２使用例を説明するためのタイムチャートである。
【図８】（Ａ）〜（Ｄ）は、複合機の第３使用例を説明するためのタイムチャートである。
【図９】（Ａ）〜（Ｄ）は、複合機の第４使用例を説明するためのタイムチャートである。
【発明を実施するための形態】
【００１０】
以下、添付図面を参照して、本発明の実施の形態について詳細に説明する。
図１は、実施の形態が適用される複合機１の全体構成例を示した図である。図１に示す複合機１は、コピー機能、スキャン機能およびプリント機能を有する複写機に、さらにファクシミリ機能を具備させたものである。また、本実施の形態の複合機１は、このような一般的な複合機１としての機能に加えて、チケット類やデジタルコンテンツ等の情報商材を取り扱うための、双方向通信が可能な情報通信端末（所謂マルチメディアステーション）としての機能も備えたものとなっている。
【００１１】
そして、この複合機１は、用紙等の記録材に画像を形成する画像形成装置１０と、原稿に形成された画像を読み取る画像読取装置２０と、ユーザからの操作指示を受け付けるとともにユーザに対して各種情報を表示する操作受付装置３０とを備える。また、複合機１は、ＳＤカード、ＵＳＢ（Universal Serial Bus）メモリやＣＤ（Compact Disc）等を含む可搬型記憶媒体からのデータの読み出しおよび可搬型記憶媒体へのデータの書き込みを行うデータ読書装置４０と、ＩＣ（Integrated Circuit）カードに記録されたデータを読み取るカード読取装置５０とを備える。さらに、複合機１は、利用者が投入した現金（硬貨または紙幣、あるいは、硬貨および紙幣の両方）を受け入れるとともに、必要に応じて現金を返却する機能を備えたコインキット６０と、利用者から要求があった場合に、領収書を印刷して出力する領収書印刷装置７０とを備える。さらにまた、複合機１は、外部との通信を行うための通信装置８０（後述する図２参照）と複合機１を制御するための制御装置１００（後述する図２参照）とを備えている。なお、この例において、これら通信装置８０および制御装置１００は、画像形成装置１０に内蔵されている。
【００１２】
図２は、複合機１に設けられた制御装置１００のハードウェア構成を示した図である。
本実施の形態の制御装置１００は、プログラムを読み出して実行するＣＰＵ（Central Processing Unit）１０１と、ＣＰＵ１０１が実行するプログラムやプログラムを実行する際に使用するデータ等を記憶するＲＯＭ（Read Only Memory）１０２と、プログラムを実行する際に一時的に生成されるデータ等を記憶するＲＡＭ（Random Access Memory）１０３と、画像データ等の比較的大容量のデータを記憶するＨＤＤ（Hard Disk Drive）１０４と、時間を計測するタイマ１０５と、これらＣＰＵ１０１〜タイマ１０５と、画像形成装置１０、画像読取装置２０、操作受付装置３０、データ読書装置４０、カード読取装置５０、コインキット６０、領収書印刷装置７０および通信装置８０とを接続するためのインタフェース回路（図には「Ｉ／Ｆ」と記す）１０６とを備えている。
【００１３】
なお、ＣＰＵ１０１が実行するプログラムは、予めＲＯＭ１０２に記憶させておく形態の他、例えばＣＤ−ＲＯＭ等の記憶媒体に格納してＣＰＵ１０１に提供したり、あるいは、外部から通信装置８０を介してＣＰＵ１０１に提供したりすることも可能である。
【００１４】
図３は、複合機１に設けられた制御装置１００のソフトウェア構成を示した図である。
本実施の形態の制御装置１００は、画像形成装置１０を制御する画像形成制御部１１０と、画像読取装置２０を制御する画像読取制御部１２０と、操作受付装置３０を制御する操作受付制御部１３０と、データ読書装置４０を制御するデータ読書制御部１４０と、カード読取装置５０およびコインキット６０を制御する課金制御部１５０と、領収書印刷装置７０を制御する領収書印刷制御部１７０と、通信装置８０を制御する通信制御部１８０とを備える。また、制御装置１００は、これら画像形成制御部１１０、画像読取制御部１２０、操作受付制御部１３０、データ読書制御部１４０、課金制御部１５０、領収書印刷制御部１７０および通信制御部１８０を制御する主制御部１９０をさらに備えている。
【００１５】
図４は、図３に示す課金制御部１５０のソフトウェア構成を示した図である。
本実施の形態の課金制御部１５０は、時間の計測を行う計時部１５１と、画像形成装置１０（図１参照）等から主制御部１９０を介して入力されてくる用紙の出力枚数（合計出力数）を計数する合計出力計数部１５２と、合計出力計数部１５２にて計数される合計出力数のうち、通常単価（１出力数あたりの料金）での課金対象となる用紙の出力枚数（通常出力数）を計数する通常出力計数部１５３と、通常単価よりも低価格に設定された割引単価（１出力数あたりの料金）での課金対象となる用紙の出力枚数（割引出力数）を計数する割引出力計数部１５４とを備える。また、課金制御部１５０は、通常出力計数部１５３で計数された通常出力数と割引出力計数部１５４で計数された割引出力数とに基づいて、ユーザに対する課金額を演算する課金演算部１５５と、課金演算部１５５における演算処理で用いられる課金データを記憶する課金データ記憶部１５６と、課金演算部１５５が求めた課金額をコインキット６０等から徴収する課金処理を行う課金処理部１５７とをさらに備える。
【００１６】
ここで、計時部１５１は、例えばタイマ１０５（図２参照）によって実現されるものであり、予め決められた設定時間（ここでは３分（３：００））を上限として、残り時間をカウントダウンするものとなっている。ただし、後述するように、計時部１５１によるカウントダウンは、ある条件を満足した場合に一時的に停止され、その後、再開されることがある。また、後述するように、計時部１５１によるカウントダウンは、別のある条件を満足した場合に設定時間（３：００）まで戻されたり、あるいは、さらに別のある条件を満足した場合に終了時間（０：００）まで飛ばされたりすることがある。
【００１７】
図５は、図１等に示す操作受付装置３０の表示画面（タッチパネル）に表示されるメインメニュー画面３００の構成例を示した図である。このメインメニュー画面３００には、複数の選択用ボタンが表示されており、これらの選択用ボタンのいずれかが利用者により選択（押圧）されることで、選択された選択用ボタンに関連付けられている機能が実行される。
【００１８】
図５に示す例において、メインメニュー画面３００の左側には複数の選択用ボタンを含む第１ボタン群３１０が、メインメニュー画面３００の右側には別の複数の選択用ボタンを含む第２ボタン群３２０が、それぞれ表示されている。これらのうち、第１ボタン群３１０は、所謂複合機１に関連する機能に対応付けられたものであって、コピー機能の実行要求を受け付けるコピーボタン３１１、デジカメプリント機能の実行要求を受け付けるデジカメプリントボタン３１２、文書プリント機能の実行要求を受け付ける文書プリントボタン３１３、スキャン機能の実行要求を受け付けるスキャンボタン３１４およびファクシミリ機能の実行要求を受け付けるファックスボタン３１５を含んでいる。一方、第２ボタン群３２０は、所謂マルチメディアステーションに関連する機能に対応付けられたものであって、各種プリペイドサービスの実行要求を受け付けるプリペイドサービスボタン３２１、航空券代金支払いの実行要求を受け付ける航空券代金お支払いボタン３２２、映画やイベントのチケットの予約要求を受け付ける映画・イベントチケットボタン３２３、資格試験や検定試験などの申込要求を受け付ける資格・検定ボタン３２４、スポーツのチケットの予約要求を受け付けるスポーツチケットボタン３２５およびレジャーのチケットの予約要求を受け付けるレジャーチケットボタン３２６を含んでいる。
【００１９】
なお、このメインメニュー画面３００において、目的とする選択用ボタンが利用者によって選択されると、今度は、それぞれの機能に対応したサブメニュー画面（図示せず）が表示される。そして、サブメニュー画面において利用者が選択した機能に対する各種設定（例えば出力数など）を行った後に開始キーや確認キー等を押下することにより、選択された機能が実行される。
【００２０】
ここで、本実施の形態では、操作受付装置３０、データ読書装置４０、カード読取装置５０およびコインキット６０のそれぞれが、受付手段としての機能を有している。また、画像形成装置１０が画像形成手段としての機能を有しており、画像形成装置１０、画像読取装置２０、通信装置８０のそれぞれが、実行手段としての機能を有している。さらに、コピー機能、デジカメプリント機能、文書プリント機能、ファクシミリ機能のそれぞれが、処理としての機能を有している。さらにまた、合計出力計数部１５２が計数手段としての機能を、課金演算部１５５が変更手段としての機能を、計時部１５１が計時手段としての機能を、それぞれ有している。そして、領収書印刷装置７０が印刷手段としての機能を有している。
【００２１】
では次に、具体例を挙げつつ、本実施の形態の複合機１の４つの使用例について、図６〜図９を参照しながら説明を行う。ここで、各使用例において、前提となる条件は以下の通りである。まず、計時部１５１による設定時間は、上述した通り３分（３：００）であるものとする。また、以下の説明においては、各利用者が、メインメニュー画面３００においてコピーボタン３１１（図５参照）を選択することにより、各ジョブとして白黒コピーを行うものとする。そして、合計出力数が３０枚以下の場合は通常単価による課金が行われ、合計出力数が３０枚を超えた分については割引単価による課金が行われるものとする。そこで、以下の説明においては、合計出力数＝３０を、課金閾値Ｔｈと呼ぶ。ここで、白黒コピーにおいて、第１の単価の一例としての通常単価は１０円／１枚であり、第２の単価の一例としての割引単価は５円／１枚であるものとする。これら通常単価および割引単価は、課金制御部１５０に設けられた課金データ記憶部１５６（図４参照）に記憶されている。
【００２２】
［第１使用例］
図６は、複合機１の第１使用例を説明するためのタイムチャートである。
ここで、図６（Ａ）は、時間（ｍｉｎ）と、計時部１５１による設定時間の残り時間（ｍｉｎ）との関係を示している。また、図６（Ｂ）は、時間（ｍｉｎ）と、合計出力計数部１５２によってカウントされる合計出力数（枚）との関係を示している。さらに、図６（Ｃ）は、時間（ｍｉｎ）と、通常出力計数部１５３によってカウントされる通常出力数（枚）との関係を示している。さらにまた、図６（Ｄ）は、時間（ｍｉｎ）と、割引出力計数部１５４によってカウントされる割引出力数（枚）との関係を示している。なお、これら（Ａ）〜（Ｄ）の関係は、後述する図７〜図９においても同じである。
【００２３】
ここで、図６に示すタイムチャートは、
・１人の利用者（利用者Ａ）が複合機１を使用する場合
・利用者Ａが１つのジョブ（第１ジョブ（白黒コピー））を複合機１に実行させる場合
・利用者Ａが第１ジョブにおいて２０枚の用紙を複合機１から出力させる場合
を例示したものである。
【００２４】
まず、図６（Ａ）に示す時刻（ａ）において、利用者Ａによる、複合機１に対する操作が開始される。ここで、「操作」とは、例えば操作受付装置３０のメインメニュー画面３００（図５参照）において、いずれかの選択用ボタンが選択されたとき、データ読書装置４０に対し可搬型記憶媒体が装着されたとき、カード読取装置５０に対しＩＣカードがセットされたとき、あるいは、コインキット６０に現金が投入されたとき、などが該当する（以下の説明においても同じ）。そして、複合機１に対する操作が開始されると、計時部１５１では、設定時間（３：００）への設定が実行されるとともに、設定時間からのカウントダウンが開始される。すなわち、残り時間が設定時間から徐々に減少していく。
【００２５】
次に、図６（Ａ）に示す時刻（ｂ）において、利用者Ａによる設定が開始される。ここで、「設定」とは、例えば操作受付装置３０のサブメニュー画面（図示せず）において、これから実行しようとするジョブ（ここでは白黒コピー）の内容を確定させるための各種設定キーの選択動作が該当する（以下の説明においても同じ）。そして、複合機１に対する設定が開始されると、計時部１５１では、設定の開始に伴ってカウントダウンが一時的に停止される。すなわち、残り時間が減少しない状態に移行する。
【００２６】
続いて、図６（Ａ）に示す時刻（ｃ）において、利用者Ａによる設定が終了する。そして、複合機１に対する設定が終了すると、計時部１５１では、カウントダウンが再開される。
【００２７】
次いで、図６（Ａ）に示す時刻（ｄ）において、利用者Ａによる第１ジョブが開始される。ここで、ジョブの開始は、例えば操作受付装置３０において開始キー等が選択されることが該当する。これに伴い、第１ジョブとして、出力数が２０枚に設定された白黒コピー動作が開始される。そして、計時部１５１では、第１ジョブの開始に伴ってカウントダウンが一時的に停止される。また、第１ジョブの開始に伴い、時刻（ｄ）において、図６（Ｂ）に示すように合計出力計数部１５２による合計出力数のカウントアップが開始され、且つ、図６（Ｃ）に示すように通常出力計数部１５３による通常出力数のカウントアップが開始される。
【００２８】
次に、図６（Ａ）に示す時刻（ｅ）において、利用者Ａによる第１ジョブが終了する。そして、計時部１５１では、第１ジョブの終了に伴ってカウントダウンが再開される。また、第１ジョブの終了に伴い、時刻（ｅ）において、図６（Ｂ）に示すように合計出力計数部１５２による合計出力数のカウントアップが停止され、且つ、図６（Ｃ）に示すように通常出力計数部１５３による通常出力数のカウントアップも停止される。なお、このとき、合計出力数が課金閾値Ｔｈ以下となる２０枚であることから、図６（Ｄ）に示すように、割引出力計数部１５４によるカウントアップは行われないままとなる。
【００２９】
続いて、図６（Ａ）に示す時刻（ｆ）において、領収書印刷装置７０を用いた、第１ジョブに対応する領収書の印刷が開始される。そして、計時部１５１では、領収書の印刷の開始に伴ってカウントダウンが一時的に停止される。
【００３０】
次いで、図６（Ａ）に示す時刻（ｇ）において、領収書印刷装置７０を用いた、第１ジョブに対応する領収書の印刷が終了する。そして、計時部１５１では、領収書の印刷終了に伴ってカウントダウンが再開される。
【００３１】
その後、図６（Ａ）に示す時刻（ｈ）において、計時部１５１によるカウントダウンに伴い、残り時間が０：００となってタイムアウト状態に移行する。これに伴い、時刻（ｈ）において、図６（Ｂ）に示すように合計出力計数部１５２における合計出力数が０にリセットされ、且つ、図６（Ｃ）に示すように通常出力計数部１５３における通常出力数が０にリセットされ、利用者Ａに対する課金処理が完了する。
【００３２】
なお、この例においては、利用者Ａにより合計２０枚の白黒コピーがなされることにより、合計出力計数部１５２の最終的な合計出力数は２０（枚）、通常出力計数部１５３の最終的な通常出力数は２０（枚）、割引出力計数部１５４の最終的な割引出力数は０（枚）となる。したがって、この例において、課金制御部１５０に設けられた課金演算部１５５（図４参照）は、通常課金額＝通常出力数×通常単価＝２０×１０＝２００（円）と、割引課金額＝割引出力数×割引単価＝０×５＝０（円）とを計算し、さらに、課金額＝通常課金額＋割引課金額＝２００＋０＝２００（円）を計算する。そして、課金制御部１５０に設けられた課金処理部１５７では、このようにして得られた課金額（２００（円））を、コインキット６０等を介して利用者Ａから徴収する。なお、この算出方法が、第１の算出方法に対応している。
【００３３】
ここで、利用者Ａによる第１ジョブの実行に要する全期間（図６において時刻（ａ）から時刻（ｈ）に至る期間）を、第１ジョブ期間Ａ１と呼ぶ。また、第１ジョブ期間Ａ１のうち、利用者Ａによる第１ジョブの設定に要する期間（図６において時刻（ｂ）から時刻（ｃ）に至る期間）を、第１ジョブ設定期間Ａ１１と呼ぶ。さらに、第１ジョブ期間Ａ１のうち、利用者Ａによる第１ジョブの実行に要する期間（図６において時刻（ｄ）から時刻（ｅ）に至る期間）を、第１ジョブ実行期間Ａ１２と呼ぶ。さらにまた、第１ジョブ期間Ａ１のうち、利用者Ａによる第１ジョブに対応する領収書の印刷に要する期間（図６において時刻（ｆ）から時刻（ｇ）に至る期間）を、第１領収書印刷期間Ａ１３と呼ぶ。なお、この例では、第１ジョブ期間Ａ１のうち、第１ジョブ設定期間Ａ１１、第１ジョブ実行期間Ａ１２および第１領収書印刷期間Ａ１３において、計時部１５１によるカウントダウンが一時的に停止される。ただし、例えば第１ジョブ設定期間Ａ１１内であっても、利用者Ａによる設定が中断されている期間（例えば利用者Ａによる入力の待ち時間）については、カウントダウンが再開される場合があり得る。
【００３４】
［第２使用例］
図７は、複合機１の第２使用例を説明するためのタイムチャートである。
ここで、図７に示すタイムチャートは、
・１人の利用者（利用者Ａ）が複合機１を使用する場合
・利用者Ａが１つのジョブ（第１ジョブ（白黒コピー））を複合機１に実行させる場合
・利用者Ａが第１ジョブにおいて４０枚の用紙を複合機１から出力させる場合
を例示している。
【００３５】
まず、図７（Ａ）に示す時刻（ａ）において、利用者Ａによる、複合機１に対する操作が開始される。そして、複合機１に対する操作が開始されると、計時部１５１では、設定時間（３：００）への設定が実行されるとともに、設定時間からのカウントダウンが開始される。
【００３６】
次に、図７（Ａ）に示す時刻（ｂ）において、利用者Ａによる設定が開始される。そして、複合機１に対する設定が開始されると、計時部１５１では、設定の開始に伴ってカウントダウンが一時的に停止される。
【００３７】
続いて、図７（Ａ）に示す時刻（ｃ）において、利用者Ａによる設定が終了する。そして、複合機１に対する設定が終了すると、計時部１５１では、カウントダウンが再開される。
【００３８】
次いで、図７（Ａ）に示す時刻（ｄ）において、利用者Ａによる第１ジョブが開始される。これに伴い、第１ジョブとして、出力数が４０枚に設定された白黒コピー動作が開始される。そして、計時部１５１では、第１ジョブの開始に伴ってカウントダウンが一時的に停止される。また、第１ジョブの開始に伴い、時刻（ｄ）において、図７（Ｂ）に示すように合計出力計数部１５２による合計出力数のカウントアップが開始され、且つ、図７（Ｃ）に示すように通常出力計数部１５３による通常出力数のカウントアップが開始される。
【００３９】
この例では、第１ジョブの実行に伴い、図７（Ｂ）に示す時刻（ｘ）において、合計出力計数部１５２による合計出力数が３０枚を超える。これに伴い、時刻（ｘ）において、図７（Ｃ）に示すように通常出力計数部１５３による通常出力数のカウントアップが停止され、且つ、図７（Ｄ）に示すように割引出力計数部１５４による割引出力数のカウントアップが開始される。なお、合計出力計数部１５２によるカウントアップは、そのまま続行される。
【００４０】
次に、図７（Ａ）に示す時刻（ｅ）において、利用者Ａによる第１ジョブが終了する。そして、計時部１５１では、第１ジョブの終了に伴い、時刻（ｅ）において、図７（Ｂ）に示すように合計出力計数部１５２による合計出力数のカウントアップが停止され、且つ、図７（Ｄ）に示すように割引出力計数部１５４による割引出力数のカウントアップも停止される。なお、このとき、図７（Ｃ）に示すように通常出力計数部１５３によるカウントアップは停止されたままの状態を維持している。
【００４１】
続いて、図７（Ａ）に示す時刻（ｆ）において、領収書印刷装置７０を用いた、第１ジョブに対応する領収書の印刷が開始される。そして、計時部１５１では、領収書の印刷の開始に伴ってカウントダウンが一時的に停止される。
【００４２】
次いで、図７（Ａ）に示す時刻（ｇ）において、領収書印刷装置７０を用いた、第１ジョブに対応する領収書の印刷が終了する。そして、計時部１５１では、領収書の印刷終了に伴ってカウントダウンが再開される。
【００４３】
その後、図７（Ａ）に示す時刻（ｈ）において、計時部１５１によるカウントダウンに伴い、残り時間が０：００となってタイムアウト状態に移行する。これに伴い、時刻（ｈ）において、図７（Ｂ）に示すように合計出力計数部１５２における合計出力数が０にリセットされ、図７（Ｃ）に示すように通常出力計数部１５３における通常出力数が０にリセットされ、さらに、図７（Ｄ）に示すように割引出力計数部１５４における割引出力数が０にリセットされ、利用者Ａに対する課金処理が完了する。
【００４４】
なお、この例においては、利用者Ａにより合計４０枚の白黒コピーがなされることにより、合計出力計数部１５２の最終的な合計出力数は４０（枚）、通常出力計数部１５３による最終的な通常出力数は３０（枚）、割引出力計数部１５４の最終的な割引出力数は１０（枚）となる。したがって、この例において、課金制御部１５０に設けられた課金演算部１５５（図４参照）は、通常課金額＝通常出力数×通常単価＝３０×１０＝３００（円）と、割引課金額＝割引出力数×割引単価＝１０×５＝５０（円）とを計算し、さらに、課金額＝通常課金額＋割引課金額＝３００＋５０＝３５０（円）を計算する。そして、課金制御部１５０に設けられた課金処理部１５７では、このようにして得られた課金額（３５０（円））を、コインキット６０等を介して利用者Ａから徴収する。なお、この算出方法が、第２の算出方法に対応している。
【００４５】
［第３使用例］
図８は、複合機１の第３使用例を説明するためのタイムチャートである。
ここで、図８に示すタイムチャートは、
・１人の利用者（利用者Ａ）が複合機１を使用する場合
・利用者Ａが２つのジョブ（第１ジョブ（白黒コピー）および第２ジョブ（白黒コピー））を複合機１に実行させる場合
・利用者Ａが第１ジョブにおいて２０枚の用紙を、第２ジョブにおいて２０枚の用紙を、複合機１から出力させる場合
を例示したものである。
【００４６】
まず、図８（Ａ）に示す時刻（ａ）において、利用者Ａによる、複合機１に対する操作が開始される。そして、複合機１に対する操作が開始されると、計時部１５１では、設定時間（３：００）への設定が実行されるとともに、設定時間からのカウントダウンが開始される。
【００４７】
次に、図８（Ａ）に示す時刻（ｂ）において、利用者Ａによる設定が開始される。そして、複合機１に対する設定が開始されると、計時部１５１では、設定の開始に伴ってカウントダウンが一時的に停止される。
【００４８】
続いて、図８（Ａ）に示す時刻（ｃ）において、利用者Ａによる設定が終了する。そして、複合機１に対する設定が終了すると、計時部１５１では、カウントダウンが再開される。
【００４９】
次いで、図８（Ａ）に示す時刻（ｄ）において、利用者Ａによる第１ジョブが開始される。これに伴い、第１ジョブとして、出力数が２０枚に設定された白黒コピー動作が開始される。そして、計時部１５１では、第１ジョブの開始に伴ってカウントダウンが一時的に停止される。また、第１ジョブの開始に伴い、時刻（ｄ）において、図８（Ｂ）に示すように合計出力計数部１５２による合計出力数のカウントアップが開始され、且つ、図８（Ｃ）に示すように通常出力計数部１５３による通常出力数のカウントアップが開始される。
【００５０】
次に、図８（Ａ）に示す時刻（ｅ）において、利用者Ａによる第１ジョブが終了する。そして、計時部１５１では、第１ジョブの終了に伴ってカウントダウンが再開される。また、第１ジョブの終了に伴い、時刻（ｅ）において、図８（Ｂ）に示すように合計出力計数部１５２による合計出力数のカウントアップが停止され、且つ、図８（Ｃ）に示すように通常出力計数部１５３による通常出力数のカウントアップも停止される。なお、このとき、合計出力数が課金閾値Ｔｈ以下となる２０枚であることから、図８（Ｄ）に示すように、割引出力計数部１５４によるカウントアップは行われないままとなる。
【００５１】
続いて、図８（Ａ）に示す時刻（ｆ）において、領収書印刷装置７０を用いた、第１ジョブに対応する領収書の印刷が開始される。そして、計時部１５１では、領収書の印刷の開始に伴ってカウントダウンが一時的に停止される。
【００５２】
次いで、図８（Ａ）に示す時刻（ｇ）において、領収書印刷装置７０を用いた、第１ジョブに対応する領収書の印刷が終了する。そして、計時部１５１では、領収書の印刷終了に伴ってカウントダウンが再開される。
【００５３】
その後、図８（Ａ）に示す時刻（ｈ）において、計時部１５１による残り時間が０：００となる前に、利用者Ａによる、複合機１に対する操作が開始される。そして、複合機１に対する操作が再び開始されると、計時部１５１では、設定時間（３：００）への設定が実行されるとともに、設定時間からのカウントダウンが開始される。
【００５４】
次に、図８（Ａ）に示す時刻（ｉ）において、利用者Ａによる設定が開始される。そして、複合機１に対する設定が開始されると、計時部１５１では、設定の開始に伴ってカウントダウンが一時的に停止される。
【００５５】
続いて、図８（Ａ）に示す時刻（ｊ）において、利用者Ａによる設定が終了する。そして、複合機１に対する設定が終了すると、計時部１５１では、カウントダウンが再開される。
【００５６】
次いで、図８（Ａ）に示す時刻（ｋ）において、利用者Ａによる第２ジョブが開始される。これに伴い、第２ジョブとして、出力数が２０枚に設定された白黒コピー動作が開始される。そして、計時部１５１では、第２ジョブの開始に伴ってカウントダウンが一時的に停止される。また、第２ジョブの開始に伴い、時刻（ｋ）において、図８（Ｂ）に示すように合計出力計数部１５２による合計出力数のカウントアップが再開され、且つ、図８（Ｃ）に示すように通常出力計数部１５３による通常出力数のカウントアップが再開される。
【００５７】
この例では、第１ジョブに続く第２ジョブの実行に伴い、図８（Ｂ）に示す時刻（ｙ）において、合計出力計数部１５２による合計出力数が３０枚を超える。これに伴い、時刻（ｙ）において、図８（Ｃ）に示すように通常出力計数部１５３による通常出力数のカウントアップが停止され、且つ、図８（Ｄ）に示すように割引出力計数部１５４による割引出力数のカウントアップが開始される。なお、合計出力計数部１５２によるカウントアップは、そのまま続行される。
【００５８】
次に、図８（Ａ）に示す時刻（ｌ）において、利用者Ａによる第２ジョブが終了する。そして、計時部１５１では、第２ジョブの終了に伴い、時刻（ｌ）において、図８（Ｂ）に示すように合計出力計数部１５２による合計出力数のカウントアップが停止され、且つ、図８（Ｄ）に示すように割引出力計数部１５４による割引出力数のカウントアップも停止される。なお、このとき、図８（Ｃ）に示すように通常出力計数部１５３によるカウントアップは停止されたままの状態を維持している。
【００５９】
続いて、図８（Ａ）に示す時刻（ｍ）において、領収書印刷装置７０を用いた、第２ジョブに対応する領収書の印刷が開始される。そして、計時部１５１では、領収書の印刷の開始に伴ってカウントダウンが一時的に停止される。
【００６０】
次いで、図８（Ａ）に示す時刻（ｎ）において、領収書印刷装置７０を用いた、第２ジョブに対応する領収書の印刷が終了する。そして、計時部１５１では、領収書の印刷終了に伴ってカウントダウンが再開される。
【００６１】
その後、図８（Ａ）に示す時刻（ｏ）において、計時部１５１によるカウントダウンに伴い、残り時間が０：００となってタイムアウト状態に移行する。これに伴い、時刻（ｏ）において、図８（Ｂ）に示すように合計出力計数部１５２における合計出力数が０にリセットされ、図８（Ｃ）に示すように通常出力計数部１５３における通常出力数が０にリセットされ、利用者Ａに対する課金処理が完了する。
【００６２】
なお、この例においては、利用者Ａにより合計４０枚の白黒コピーがなされることにより、合計出力計数部１５２の最終的な合計出力数は４０（枚）、通常出力計数部１５３による最終的な通常出力数は３０（枚）、割引出力計数部１５４の最終的な割引出力数は１０（枚）となる。したがって、この例において、課金制御部１５０に設けられた課金演算部１５５（図４参照）は、通常課金額＝通常出力数×通常単価＝３０×１０＝３００（円）と、割引課金額＝割引出力数×割引単価＝１０×５＝５０（円）とを計算し、さらに、課金額＝通常課金額＋割引課金額＝３００＋５０＝３５０（円）を計算する。そして、課金制御部１５０に設けられた課金処理部１５７では、このようにして得られた課金額（３５０（円））を、コインキット６０等を介して利用者Ａから徴収する。
【００６３】
ここで、利用者Ａによる第２ジョブの実行に要する全期間（図８において時刻（ｈ）から時刻（ｏ））に至る期間）を、第２ジョブ期間Ａ２と呼ぶ。また、第２ジョブ期間Ａ２のうち、利用者Ａによる第２ジョブの設定に要する期間（図８において時刻（ｉ）から時刻（ｊ）に至る期間）を、第２ジョブ設定期間Ａ２１と呼ぶ。さらに、第２ジョブ期間Ａ２のうち、利用者Ａによる第２ジョブの実行に要する期間（図８において時刻（ｋ）から時刻（ｌ）に至る期間）を、第２ジョブ実行期間Ａ２２と呼ぶ。さらにまた、第２ジョブ期間Ａ２のうち、利用者Ａによる第２ジョブに対応する領収書の印刷に要する期間（図８において時刻（ｍ）から時刻（ｎ）に至る期間）を、第２領収書印刷期間Ａ２３と呼ぶ。なお、この例では、第２ジョブ期間Ａ２のうち、第２ジョブ設定期間Ａ２１、第２ジョブ実行期間Ａ２２および第２領収書印刷期間Ａ２３において、計時部１５１によるカウントダウンが一時的に停止される。ただし、上述した第１ジョブの場合と同じく、例えば第２ジョブ設定期間Ａ２１内であっても、利用者Ａによる設定が中断されている期間（例えば利用者Ａによる入力の待ち時間）については、カウントダウンが再開される場合があり得る。
【００６４】
［第４使用例］
図９は、複合機１の第４使用例を説明するためのタイムチャートである。
ここで、図９に示すタイムチャートは、
・２人の利用者（利用者Ａおよび利用者Ｂ）が複合機１を使用する場合
・利用者Ａが１つのジョブ（第１ジョブ（白黒コピー））を複合機１に実行させ、利用者Ｂが１つのジョブ（第１ジョブ（白黒コピー））を複合機１に実行させる場合
・利用者Ａが第１ジョブにおいて２０枚の用紙を、利用者Ｂが第１ジョブにおいて２０枚の用紙を、複合機１から出力させる場合
を例示したものである。
【００６５】
まず、図９（Ａ）に示す時刻（ａ）において、利用者Ａによる、複合機１に対する操作が開始される。そして、複合機１に対する操作が開始されると、計時部１５１では、設定時間（３：００）への設定が実行されるとともに、設定時間からのカウントダウンが開始される。
【００６６】
次に、図９（Ａ）に示す時刻（ｂ）において、利用者Ａによる設定が開始される。そして、複合機１に対する設定が開始されると、計時部１５１では、設定の開始に伴ってカウントダウンが一時的に停止される。
【００６７】
続いて、図９（Ａ）に示す時刻（ｃ）において、利用者Ａによる設定が終了する。そして、複合機１に対する設定が終了すると、計時部１５１では、カウントダウンが再開される。
【００６８】
次いで、図９（Ａ）に示す時刻（ｄ）において、利用者Ａによる第１ジョブが開始される。これに伴い、第１ジョブとして、出力数が２０枚に設定された白黒コピー動作が開始される。そして、計時部１５１では、第１ジョブの開始に伴ってカウントダウンが一時的に停止される。また、第１ジョブの開始に伴い、時刻（ｄ）において、図９（Ｂ）に示すように合計出力計数部１５２による合計出力数のカウントアップが開始され、且つ、図９（Ｃ）に示すように通常出力計数部１５３による通常出力数のカウントアップが開始される。
【００６９】
次に、図９（Ａ）に示す時刻（ｅ）において、利用者Ａによる第１ジョブが終了する。そして、計時部１５１では、第１ジョブの終了に伴ってカウントダウンが再開される。また、第１ジョブの終了に伴い、時刻（ｅ）において、図９（Ｂ）に示すように合計出力計数部１５２による合計出力数のカウントアップが停止され、且つ、図９（Ｃ）に示すように通常出力計数部１５３による通常出力数のカウントアップも停止される。なお、このとき、合計出力数が課金閾値Ｔｈ以下となる２０枚であることから、図９（Ｄ）に示すように、割引出力計数部１５４によるカウントアップは行われないままとなる。
【００７０】
続いて、図９（Ａ）に示す時刻（ｆ）において、領収書印刷装置７０を用いた、第１ジョブに対応する領収書の印刷が開始される。そして、計時部１５１では、領収書の印刷の開始に伴ってカウントダウンが一時的に停止される。
【００７１】
次いで、図９（Ａ）に示す時刻（ｇ）において、領収書印刷装置７０を用いた、第１ジョブに対応する領収書の印刷が終了する。そして、計時部１５１では、領収書の印刷終了に伴ってカウントダウンが再開される。
【００７２】
その後、図９（Ａ）に示す時刻（ｈ）において、計時部１５１によるカウントダウンに伴い、残り時間が０：００となってタイムアウト状態に移行する。これに伴い、時刻（ｈ）において、図９（Ｂ）に示すように合計出力計数部１５２における合計出力数が０にリセットされ、且つ、図９（Ｃ）に示すように通常出力計数部１５３における通常出力数が０にリセットされ、利用者Ａに対する課金処理が完了する。
【００７３】
そして、図９（Ａ）に示す時刻（ｈ）からある時間が経過した時刻（ｉ）において、利用者Ｂによる、複合機１に対する操作が開始される。そして、複合機１に対する操作が開始されると、計時部１５１では、設定時間（３：００）への設定が実行されるとともに、設定時間からのカウントダウンが開始される。
【００７４】
次に、図９（Ａ）に示す時刻（ｊ）において、利用者Ｂによる設定が開始される。そして、複合機１に対する設定が開始されると、計時部１５１では、設定の開始に伴ってカウントダウンが一時的に停止される。
【００７５】
続いて、図９（Ａ）に示す時刻（ｋ）において、利用者Ｂによる設定が終了する。そして、複合機１に対する設定が終了すると、計時部１５１では、カウントダウンが再開される。
【００７６】
次いで、図９（Ａ）に示す時刻（ｌ）において、利用者Ｂによる第１ジョブが開始される。これに伴い、第１ジョブとして、出力数が２０枚に設定された白黒コピー動作が開始される。そして、計時部１５１では、第１ジョブの開始に伴ってカウントダウンが一時的に停止される。また、第１ジョブの開始に伴い、時刻（ｌ）において、図９（Ｂ）に示すように合計出力計数部１５２による合計出力数のカウントアップが開始され、且つ、図９（Ｃ）に示すように通常出力計数部１５３による通常出力数のカウントアップが開始される。
【００７７】
次に、図９（Ａ）に示す時刻（ｍ）において、利用者Ｂによる第１ジョブが終了する。そして、計時部１５１では、第１ジョブの終了に伴ってカウントダウンが再開される。また、第１ジョブの終了に伴い、時刻（ｍ）において、図９（Ｂ）に示すように合計出力計数部１５２による合計出力数のカウントアップが停止され、且つ、図９（Ｃ）に示すように通常出力計数部１５３による通常出力数のカウントアップも停止される。なお、このとき、合計出力数が課金閾値Ｔｈ以下となる２０枚であることから、図９（Ｄ）に示すように、割引出力計数部１５４によるカウントアップは行われないままとなる。
【００７８】
続いて、図９（Ａ）に示す時刻（ｎ）において、領収書印刷装置７０を用いた、第１ジョブに対応する領収書の印刷が開始される。そして、計時部１５１では、領収書の印刷の開始に伴ってカウントダウンが一時的に停止される。
【００７９】
次いで、図９（Ａ）に示す時刻（ｏ）において、領収書印刷装置７０を用いた、第１ジョブに対応する領収書の印刷が終了する。そして、計時部１５１では、領収書の印刷終了に伴ってカウントダウンが再開される。
【００８０】
その後、図９（Ａ）に示す時刻（ｐ）において、計時部１５１によるカウントダウンに伴い、残り時間が０：００となってタイムアウト状態に移行する。これに伴い、時刻（ｐ）において、図９（Ｂ）に示すように合計出力計数部１５２における合計出力数が０にリセットされ、且つ、図９（Ｃ）に示すように通常出力計数部１５３における通常出力数が０にリセットされ、利用者Ｂに対する課金処理が完了する。
【００８１】
なお、この例においては、利用者Ａにより合計２０枚の白黒コピーがなされることにより、合計出力計数部１５２の最終的な合計出力数は２０（枚）、通常出力計数部１５３の最終的な通常出力数は２０（枚）、割引出力計数部１５４の最終的な割引出力数は０（枚）となる。したがって、この例において、課金制御部１５０に設けられた課金演算部１５５（図４参照）は、通常課金額＝通常出力数×通常単価＝２０×１０＝２００（円）と、割引課金額＝割引出力数×割引単価＝０×５＝０（円）とを計算し、さらに、課金額＝通常課金額＋割引課金額＝２００＋０＝２００（円）を計算する。そして、課金制御部１５０に設けられた課金処理部１５７では、このようにして得られた課金額（２００（円））を、コインキット６０等を介して利用者Ａから徴収する。
【００８２】
また、この例においては、利用者Ａとは別の利用者Ｂにより合計２０枚の白黒コピーがなされることにより、合計出力計数部１５２の最終的な合計出力数は２０（枚）、通常出力計数部１５３の最終的な通常出力数は２０（枚）、割引出力計数部１５４の最終的な割引出力数は０（枚）となる。したがって、この例において、課金制御部１５０に設けられた課金演算部１５５（図４参照）は、通常課金額＝通常出力数×通常単価＝２０×１０＝２００（円）と、割引課金額＝割引出力数×割引単価＝０×５＝０（円）とを計算し、さらに、課金額＝通常課金額＋割引課金額＝２００＋０＝２００（円）を計算する。そして、課金制御部１５０に設けられた課金処理部１５７では、このようにして得られた課金額（２００（円））を、コインキット６０等を介して利用者Ｂから徴収する。
【００８３】
ここで、利用者Ｂによる第１ジョブの実行に要する全期間（図９において時刻（ｉ）から時刻（ｐ）に至る期間）を、第１ジョブ期間Ｂ１と呼ぶ。また、第１ジョブ期間Ｂ１のうち、利用者Ｂによる第１ジョブの設定に要する期間（図９において時刻（ｊ）から時刻（ｋ）に至る期間）を、第１ジョブ設定期間Ｂ１１と呼ぶ。さらに、第１ジョブ期間Ｂ１のうち、利用者Ｂによる第１ジョブの実行に要する期間（図９において時刻（ｌ）から時刻（ｍ）に至る期間）を、第１ジョブ実行期間Ｂ１２と呼ぶ。さらにまた、第１ジョブ期間Ｂ１のうち、利用者Ｂによる第１ジョブに対応する領収書の印刷に要する期間（図９において時刻（ｎ）から時刻（ｏ）に至る期間）を、第１領収書印刷期間Ｂ１３と呼ぶ。なお、この例では、第１ジョブ期間Ｂ１のうち、第１ジョブ設定期間Ｂ１１、第１ジョブ実行期間Ｂ１２および第１領収書印刷期間Ｂ１３において、計時部１５１によるカウントダウンが一時的に停止される。ただし、例えば第１ジョブ設定期間Ｂ１１内であっても、利用者Ｂによる設定が中断されている期間（例えば利用者Ｂによる入力の待ち時間）については、カウントダウンが再開される場合があり得る。
【００８４】
上述した各使用例において、例えばジョブの実行中に、コインキット６０に投入されている現金の残高が０円となった場合、コインキット６０に設けられた返金レバーが操作されることにより現金が返却された場合、あるいは、カード読取装置５０にセットされていたＩＣカードが取り除かれた場合には、計時部１５１の残り時間が強制的に０：００に飛ばされる。その結果、合計出力計数部１５２に記憶される合計出力数、通常出力計数部１５３に記憶される通常出力数および割引出力計数部１５４に記憶される割引出力数は、すべてが０にリセットされる。
【００８５】
ただし、計時部１５１の残り時間が０：００となった場合に、それぞれの出力数を０にリセットしなくてもよく、少なくとも、それぞれの出力数を更新しなければよい。
【００８６】
なお、上述した説明において、複合機１に設けられたカード読取装置５０は、ＩＣカードに記録されたデータを読み取るものとしていたが、これに限られるものではない。例えばスマートフォンやタブレット型コンピュータなど、ＩＣカードとしての機能を備えた携帯情報端末がセットされた場合に、この携帯情報端末に記録されたデータを読み取る機能を、カード読取装置５０が備えていてもよい。
【００８７】
また、上述した各使用例において、設定時間を３分（３：００）としていたが、設定時間の長さについてはこれに限られるものではない。また、例えば、ある利用者に対して設定される最初の設定時間を例えば３分とし、この利用者に対し、続けて設定される次の設定時間を例えば４分や２分としてもかまわない。
【００８８】
さらに、上述した各使用例においては、計時部１５１による残り時間が０：００となるまで待っていたが、これに限られるものではない。例えば操作受付装置３０にリセットボタンを設け、このリセットボタンが利用者により押下された場合に、強制的に残り時間を０：００に飛ばすようにしてもかまわない。
【００８９】
また、上述した第３使用例においては、第１ジョブが終了した時点と第２ジョブが終了した時点とで、それぞれ別の領収書を印刷するようにしていたが、このような場合にあっては、第２ジョブが終了した後に、第１ジョブおよび第２ジョブをまとめた領収書を印刷するようにしてもかまわない。
【００９０】
さらに、上述した第３使用例では、第１ジョブおよび第２ジョブにおいて、同じ内容のジョブ（ともに白黒コピー）を行う場合を例としたが、第１ジョブと第２ジョブとで、異なる内容のジョブ（例えば、白黒コピーおよびカラーコピー、白黒コピーおよびデジカメプリント、デジカメプリントおよびスキャン）を実行させる場合に適用してもかまわない。
【符号の説明】
【００９１】
１…複合機、１０…画像形成装置、２０…画像読取装置、３０…操作受付装置、４０…データ読書装置、５０…カード読取装置、６０…コインキット、７０…領収書印刷装置、８０…通信装置、１００…制御装置、１１０…画像形成制御部、１２０…画像読取制御部、１３０…操作受付制御部、１４０…データ読書制御部、１５０…課金制御部、１５１…計時部、１５２…合計出力計数部、１５３…通常出力計数部、１５４…割引出力計数部、１５５…課金演算部、１５６…課金データ記憶部、１５７…課金処理部、１７０…領収書印刷制御部、１８０…通信制御部、１９０…主制御部
【図１】
2015133670.tif 000003
【図２】
2015133670.tif 000004
【図３】
2015133670.tif 000005
【図４】
2015133670.tif 000006
【図５】
2015133670.tif 000007
【図６】
2015133670.tif 000008
【図７】
2015133670.tif 000009
【図８】
2015133670.tif 000010
【図９】
2015133670.tif 000011